(57)【要約】【課題】ＣＢＰの適用頻度を向上させて、符号化性能を向上させることのできる動画像符号化装置および動画像復号装置を提供すること。【解決手段】動画像符号化装置ＡＡは、量子化されたＤＣＴ係数（残差信号）の信号を、動画像符号化装置ＡＡと動画像復号装置ＢＢとの間で予め定められた形状で４つに分割するＤＣＴ係数分割部６１と、４つに分割された量子化されたＤＣＴ係数（残差信号）のそれぞれについて、エントロピー符号化するか否かを判定するＣＢＰ判定部６２Ａ〜６２Ｄと、ＣＢＰ判定部６２Ａ〜６２Ｄのそれぞれにおける判定結果に応じて、４つに分割された量子化されたＤＣＴ係数（残差信号）のそれぞれをエントロピー符号化する残差信号エントロピー符号化部６３Ａ〜６３Ｄと、を備える。【選択図】図２
2011049816.tif 000002
【特許請求の範囲】
【請求項１】
予め定められたブロックサイズごとに予測誤差信号に対して直交変換する動画像符号化装置であって、
直交変換後の予測誤差信号を複数に分割する予測誤差信号分割手段と、
前記予測誤差信号分割手段により分割された予測誤差信号ごとに、直交変換係数に基づいて符号化するか否かを判定する符号化判定手段と、
前記符号化判定手段による判定結果に応じて、前記予測誤差信号分割手段により分割された各予測誤差信号を符号化する符号化手段と、
前記符号化手段により符号化された各予測誤差信号を結合して符号化データを生成する符号化データ生成手段と、
を備えることを特徴とする動画像符号化装置。
【請求項２】
請求項１に記載の動画像符号化装置において、
前記予測誤差信号分割手段は、直交変換後の予測誤差信号を、矩形状の領域に相当する周波数成分ごとに分割することを特徴とする動画像符号化装置。
【請求項３】
請求項１に記載の動画像符号化装置において、
前記予測誤差信号分割手段は、直交変換後の予測誤差信号を、周波数帯域に応じた領域に相当する周波数成分ごとに分割することを特徴とする動画像符号化装置。
【請求項４】
請求項１に記載の動画像符号化装置において、
前記予測誤差信号分割手段は、直交変換後の予測誤差信号を、視覚的な重要度に応じた領域に相当する周波数成分ごとに分割することを特徴とする動画像符号化装置。
【請求項５】
請求項１に記載の動画像符号化装置において、
前記予測誤差信号分割手段は、
直交変換後の予測誤差信号を、矩形状の領域に相当する周波数成分ごと、周波数帯域に応じた領域に相当する周波数成分ごと、および視覚的な重要度に応じた領域に相当する周波数成分ごとのうち、いずれに分割するかをフレーム単位で決定し、
前記決定した周波数成分ごとに、直交変換後の予測誤差信号を分割することを特徴とする動画像符号化装置。
【請求項６】
予め定められたブロックサイズごとに予測誤差信号に対して直交変換する動画像復号装置であって、
請求項１乃至５のいずれかに記載の動画像符号化装置において生成された符号化データを復号し、復号データを生成する復号データ生成部を備えることを特徴とする動画像復号装置。
【請求項７】
予め定められたブロックサイズごとに予測誤差信号に対して直交変換する動画像符号化方法であって、
直交変換後の予測誤差信号を複数に分割する第１のステップと、
前記第１のステップにおいて分割された予測誤差信号ごとに、直交変換係数に基づいて符号化するか否かを判定する第２のステップと、
前記第２のステップにおける判定結果に応じて、前記第１のステップにおいて分割された各予測誤差信号を符号化する第３のステップと、
前記第３のステップにおいて符号化された各予測誤差信号を結合して符号化データを生成する第４のステップと、
を備えることを特徴とする動画像符号化方法。
【請求項８】
予め定められたブロックサイズごとに予測誤差信号に対して直交変換する動画像復号方法であって、
請求項７に記載の動画像符号化方法において生成された符号化データを復号し、復号データを生成するステップを備えることを特徴とする動画像復号方法。
【請求項９】
予め定められたブロックサイズごとに予測誤差信号に対して直交変換する動画像符号化方法を、コンピュータに実行させるためのプログラムであって、
直交変換後の予測誤差信号を複数に分割する第１のステップと、
前記第１のステップにおいて分割された予測誤差信号ごとに、直交変換係数に基づいて符号化するか否かを判定する第２のステップと、
前記第２のステップにおける判定結果に応じて、前記第１のステップにおいて分割された各予測誤差信号を符号化する第３のステップと、
前記第３のステップにおいて符号化された各予測誤差信号を結合して符号化データを生成する第４のステップと、
をコンピュータに実行させることを特徴とするプログラム。
【請求項１０】
予め定められたブロックサイズごとに予測誤差信号に対して直交変換する動画像復号方法を、コンピュータに実行させるためのプログラムであって、
請求項９に記載のプログラムをコンピュータに実行させることで生成された符号化データを復号し、復号データを生成するステップをコンピュータに実行させることを特徴とするプログラム。
【発明の詳細な説明】
【技術分野】
【０００１】
本発明は、動画像を符号化する動画像符号化装置、動画像符号化方法、およびプログラムと、これらにより符号化された動画像を復号する動画像復号装置、動画像復号方法、およびプログラムと、に関する。
【背景技術】
【０００２】
従来より、動画像を符号化する手法として、予測誤差信号（以下、「残差信号」と呼ぶ）に対して直交変換および量子化を行い、変換ブロック内で量子化後のＤＣＴ係数が全て「０」であれば、このブロックに１ｂｉｔの情報（Ｃｏｄｅｄ  Ｂｌｏｃｋ  Ｐａｔｔｅｒｎ；ＣＢＰ）を付与し、このブロックにおける残差信号の符号化を省略するものが提案されている（例えば、非特許文献１参照）。この非特許文献１に記載の手法は、零ＤＣＴ係数が発生しやすい高圧縮符号化において、特に有効である。
【０００３】
また、動画像を符号化する手法として、高解像度映像における信号エネルギーの低周波成分への集中性を利用して、直交変換ブロックサイズの拡張を許容することで、直交変換および量子化による符号化性能を改善するものも提案されている（例えば、非特許文献２参照）。この非特許文献２に記載の手法は、周波数成分のエネルギーが１箇所に集まりやすい高精細映像に対して、有効である。
【先行技術文献】
【非特許文献】
【０００４】
【非特許文献１】Joint Video Team (JVT) of ISO/IEC MPEG and ITU-VCEG, “Text of ISO/IEC 14496 10 Advanced Video Coding 3rdEdition”, July 2004.
【非特許文献２】http://iphome.hhi.de/suehring/tml/index.htm
【発明の概要】
【発明が解決しようとする課題】
【０００５】
非特許文献１、２に記載の手法により、動画像を符号化する場合について、図１２、１３を用いて以下に説明する。
【０００６】
図１２は、Ｎ×Ｎの変換ブロックを示しており、ブロックＢ３４にのみ非零ＤＣＴ係数が含まれているものとする。このため、非特許文献１に記載の手法を用いた場合、ＤＣＴ係数が全て「０」であるブロックＢ３１、Ｂ３２、Ｂ３３では、ＣＢＰにより、残差信号の符号化が省略される。
【０００７】
図１３は、図１２に示したＮ×Ｎの変換ブロックを２Ｎ×２Ｎに拡張したものを示している。この２Ｎ×２Ｎの変換ブロック内には、図１２のブロックＢ３１〜Ｂ３４に相当する周波数成分が含まれている。このため、２Ｎ×２Ｎの変換ブロック内には、図１２のブロックＢ３４の非零ＤＣＴ係数が含まれていることになるので、この２Ｎ×２Ｎの変換ブロック全体が非零ＤＣＴ係数を含むブロックとして扱われることとなる。このため、２Ｎ×２Ｎの領域に相当するＤＣＴ係数が全て符号化されることとなる。
【０００８】
以上のように、非特許文献２に記載の手法では、ＣＢＰの適用される頻度が低下し、符号化されるＤＣＴ係数が増加することで符号量が増加するため、特に、高解像度、高圧縮符号化において、十分な符号化性能が得られない場合があった。
【０００９】
そこで、本発明は、上述の課題に鑑みてなされたものであり、ＣＢＰの適用頻度を向上させて、符号化性能を向上させることを目的とする。
【課題を解決するための手段】
【００１０】
本発明は、上記の課題を解決するために、以下の事項を提案している。
【００１１】
（１）本発明は、予め定められたブロックサイズごとに予測誤差信号に対して直交変換する動画像符号化装置であって、直交変換後の予測誤差信号を複数に分割する予測誤差信号分割手段（例えば、図２のＤＣＴ係数分割部６１に相当）と、前記予測誤差信号分割手段により分割された予測誤差信号ごとに、直交変換係数に基づいて符号化するか否かを判定する符号化判定手段（例えば、図２のＣＢＰ判定部６２Ａ〜６２Ｄに相当）と、前記符号化判定手段による判定結果に応じて、前記予測誤差信号分割手段により分割された各予測誤差信号を符号化する符号化手段（例えば、図２の残差信号エントロピー符号化部６３Ａ〜６３Ｄに相当）と、前記符号化手段により符号化された各予測誤差信号を結合して符号化データを生成する符号化データ生成手段（例えば、図２のＤＣＴ係数結合部６４および符号化データ生成部６６に相当）と、を備えることを特徴とする動画像符号化装置を提案している。
【００１２】
この発明によれば、予め定められたブロックサイズごとに予測誤差信号に対して直交変換する動画像符号化装置に、直交変換後の予測誤差信号を複数に分割する予測誤差信号分割手段と、予測誤差信号分割手段により分割された予測誤差信号ごとに直交変換係数に基づいて符号化するか否かを判定する符号化判定手段と、予測誤差信号分割手段により分割された各予測誤差信号を符号化判定手段による判定結果に応じて符号化する符号化手段と、符号化手段により符号化された各予測誤差信号を結合して符号化データを生成する符号化データ生成手段と、を設けた。このため、複数に分割された予測誤差信号ごとに、符号化を省略するか否かを決定し、符号化することができるので、ＣＢＰの適用頻度を向上させて、符号化性能を向上させることができる。
【００１３】
（２）本発明は、（１）の動画像符号化装置について、前記予測誤差信号分割手段は、直交変換後の予測誤差信号を、矩形状の領域に相当する周波数成分ごとに分割する（例えば、図８に相当）ことを特徴とする動画像符号化装置を提案している。
【００１４】
この発明によれば、予測誤差信号分割手段により、直交変換後の予測誤差信号を、矩形状の領域に相当する周波数成分ごとに分割することとした。これによれば、上述した効果と同様の効果を奏することができる。
【００１５】
（３）本発明は、（１）の動画像符号化装置について、前記予測誤差信号分割手段は、直交変換後の予測誤差信号を、周波数帯域に応じた領域に相当する周波数成分ごとに分割する（例えば、図９に相当）ことを特徴とする動画像符号化装置を提案している。
【００１６】
この発明によれば、予測誤差信号分割手段により、直交変換後の予測誤差信号を、周波数帯域に応じた領域に相当する周波数成分ごとに分割することとした。これによれば、上述した効果と同様の効果を奏することができる。
【００１７】
（４）本発明は、（１）の動画像符号化装置について、前記予測誤差信号分割手段は、直交変換後の予測誤差信号を、視覚的な重要度に応じた領域に相当する周波数成分ごとに分割する（例えば、図１０に相当）ことを特徴とする動画像符号化装置を提案している。
【００１８】
この発明によれば、予測誤差信号分割手段により、直交変換後の予測誤差信号を、視覚的な重要度に応じた領域に相当する周波数成分ごとに分割することとした。これによれば、上述した効果と同様の効果を奏することができる。
【００１９】
（５）本発明は、（１）の動画像符号化装置について、前記予測誤差信号分割手段は、直交変換後の予測誤差信号を、矩形状の領域に相当する周波数成分ごと、周波数帯域に応じた領域に相当する周波数成分ごと、および視覚的な重要度に応じた領域に相当する周波数成分ごとのうち、いずれに分割するかをフレーム単位で決定し、前記決定した周波数成分ごとに、直交変換後の予測誤差信号を分割することを特徴とする動画像符号化装置を提案している。
【００２０】
この発明によれば、予測誤差信号分割手段により、直交変換後の予測誤差信号を、矩形状の領域に相当する周波数成分ごと、周波数帯域に応じた領域に相当する周波数成分ごと、および視覚的な重要度に応じた領域に相当する周波数成分ごとのうち、いずれに分割するかをフレーム単位で決定し、決定した周波数成分ごとに、直交変換後の予測誤差信号を分割することとした。このため、直交変換後の予測誤差信号を、フレームごとに適した周波数成分ごとに分割することができるので、ＣＢＰの適用頻度をさらに向上させて、符号化性能をさらに向上させることができる。
【００２１】
（６）本発明は、予め定められたブロックサイズごとに予測誤差信号に対して直交変換する動画像復号装置であって、（１）〜（５）のいずれかの動画像符号化装置において生成された符号化データを復号し、復号データを生成する復号データ生成部を備えることを特徴とする動画像復号装置を提案している。
【００２２】
この発明によれば、予め定められたブロックサイズごとに予測誤差信号に対して直交変換する動画像復号装置に、（１）〜（５）のいずれかの動画像符号化装置において生成された符号化データを復号して復号データを生成する復号データ生成部を設けた。このため、（１）〜（５）のいずれかの動画像符号化装置において生成された符号化データを復号できる。
【００２３】
（７）本発明は、予め定められたブロックサイズごとに予測誤差信号に対して直交変換する動画像符号化方法であって、直交変換後の予測誤差信号を複数に分割する第１のステップと、前記第１のステップにおいて分割された予測誤差信号ごとに、直交変換係数に基づいて符号化するか否かを判定する第２のステップと、前記第２のステップにおける判定結果に応じて、前記第１のステップにおいて分割された各予測誤差信号を符号化する第３のステップと、前記第３のステップにおいて符号化された各予測誤差信号を結合して符号化データを生成する第４のステップと、を備えることを特徴とする動画像符号化方法を提案している。
【００２４】
この発明によれば、動画像符号化方法により、直交変換後の予測誤差信号を複数に分割し、分割された予測誤差信号ごとに、直交変換係数に基づいて符号化するか否かを判定することとした。そして、この判定結果に応じて、分割された各予測誤差信号を符号化し、符号化された各予測誤差信号を結合して符号化データを生成することとした。このため、複数に分割された予測誤差信号ごとに、符号化を省略するか否かを決定し、符号化することができるので、ＣＢＰの適用頻度を向上させて、符号化性能を向上させることができる。
【００２５】
（８）本発明は、予め定められたブロックサイズごとに予測誤差信号に対して直交変換する動画像復号方法であって、（７）の動画像符号化方法において生成された符号化データを復号し、復号データを生成するステップを備えることを特徴とする動画像復号方法を提案している。
【００２６】
この発明によれば、（７）の動画像符号化方法において生成された符号化データを復号し、復号データを生成することとした。このため、（７）の動画像符号化方法において生成された符号化データから、復号データを生成できる。
【００２７】
（９）本発明は、予め定められたブロックサイズごとに予測誤差信号に対して直交変換する動画像符号化方法を、コンピュータに実行させるためのプログラムであって、直交変換後の予測誤差信号を複数に分割する第１のステップと、前記第１のステップにおいて分割された予測誤差信号ごとに、直交変換係数に基づいて符号化するか否かを判定する第２のステップと、前記第２のステップにおける判定結果に応じて、前記第１のステップにおいて分割された各予測誤差信号を符号化する第３のステップと、前記第３のステップにおいて符号化された各予測誤差信号を結合して符号化データを生成する第４のステップと、をコンピュータに実行させることを特徴とするプログラムを提案している。
【００２８】
この発明によれば、プログラムをコンピュータに実行させることで、直交変換後の予測誤差信号を複数に分割し、分割した予測誤差信号ごとに、直交変換係数に基づいて符号化するか否かを判定することとした。そして、この判定結果に応じて、分割した各予測誤差信号を符号化し、符号化した各予測誤差信号を結合して符号化データを生成することとした。このため、複数に分割した予測誤差信号ごとに、符号化を省略するか否かを決定し、符号化することができるので、ＣＢＰの適用頻度を向上させて、符号化性能を向上させることができる。
【００２９】
（１０）本発明は、予め定められたブロックサイズごとに予測誤差信号に対して直交変換する動画像復号方法を、コンピュータに実行させるためのプログラムであって、（９）の動画像符号化方法において生成された符号化データを復号し、復号データを生成するステップをコンピュータに実行させることを特徴とするプログラムを提案している。
【００３０】
この発明によれば、プログラムをコンピュータに実行させることで、（９）のプログラムをコンピュータに実行させることで生成された符号化データを復号し、復号データを生成することとした。このため、（９）のプログラムをコンピュータに実行させたことで生成された符号化データから、復号データを生成できる。
【発明の効果】
【００３１】
本発明によれば、直交変換後の予測誤差信号を複数に分割し、これら複数の直交変換後の予測誤差信号ごとに、符号化を省略するか否かを決定し、符号化する。このため、ＣＢＰの適用頻度を向上させて、符号化性能を向上させることができる。
【００３２】
また、本発明によれば、画像フレームを、画面間符号化のみ、画面内符号化のみ、または画像間符号化および画面内符号化の併用により、符号化することができる。ここで、画像フレームを画面内符号化のみで符号化する静止画像符号化は、本発明で想定する動画像符号化のサブセットである。このため、本発明を静止画の符号化にも適用することが可能であり、適用することにより、静止画像符号化の符号化性能を向上させることができる。
【図面の簡単な説明】
【００３３】
【図１】本発明の第１実施形態に係る動画像符号化装置の構成を示すブロック図である。
【図２】前記動画像符号化装置が備えるエントロピー符号化部の構成を示すブロック図である。
【図３】本発明の第１実施形態に係る動画像復号装置の構成を示すブロック図である。
【図４】前記動画像復号装置が備える符号化データ解析部の構成を示すブロック図である。
【図５】本発明の第２実施形態に係る動画像符号化装置の構成を示すブロック図である。
【図６】前記動画像符号化装置が備えるＭＢ単位符号化処理部の構成を示すブロック図である。
【図７】前記ＭＢ単位符号化処理部が備えるエントロピー符号化部の構成を示すブロック図である。
【図８】量子化されたＤＣＴ係数の分割形状および分割数を説明するための図である。
【図９】量子化されたＤＣＴ係数の分割形状および分割数を説明するための図である。
【図１０】量子化されたＤＣＴ係数の分割形状および分割数を説明するための図である。
【図１１】本発明の第２実施形態に係る動画像復号装置が備える符号化データ解析部の構成を示すブロック図である。
【図１２】従来例に係る手法を用いて動画像を符号化する場合について、説明するための図である。
【図１３】従来例に係る手法を用いて動画像を符号化する場合について、説明するための図である。
【発明を実施するための形態】
【００３４】
以下、本発明の実施の形態について図面を参照しながら説明する。なお、以下の実施形態における構成要素は適宜、既存の構成要素等との置き換えが可能であり、また、他の既存の構成要素との組合せを含む様々なバリエーションが可能である。したがって、以下の実施形態の記載をもって、特許請求の範囲に記載された発明の内容を限定するものではない。
【００３５】
＜第１実施形態＞
［動画像符号化装置ＡＡの構成］
図１は、本発明の第１実施形態に係る動画像符号化装置ＡＡの構成を示すブロック図である。動画像符号化装置ＡＡは、イントラ符号化予測値生成部１、インター符号化予測値生成部２、モード判定制御部３、ＤＣＴ／量子化部４、ＩＤＣＴ／逆量子化部５、エントロピー符号化部６、第１のローカルメモリ７、および第２のローカルメモリ８を備える。
【００３６】
イントラ符号化予測値生成部１は、入力映像ａと、符号化済みブロックにおける局所復号値ｃと、符号化済みブロックにおける予測方向情報ｄと、を入力とする。このイントラ符号化予測値生成部１は、符号化済みブロックにおける局所復号値ｃに基づいて、予測値を生成し、生成した予測値と入力信号との差分を求めることで、符号化歪みを算出する。そして、算出した符号化歪みと、符号化済みブロックにおける予測方向情報ｄと、に基づいて、符号化に要するコスト値を算出する。そして、イントラ予測値ｅと、イントラ予測情報（動きベクトルを含む）ｆと、符号化コスト値ｇと、を出力する。
【００３７】
インター符号化予測値生成部２は、入力映像ａと、符号化済みブロックにおける局所復号値ｃと、符号化済みブロックにおける予測方向情報ｄと、を入力とし、インター予測値ｈと、インター予測情報（動きベクトルを含む）ｉと、符号化コスト値ｊと、を出力する。
【００３８】
モード判定制御部３は、イントラ符号化予測値生成部１から出力される符号化コスト値ｇと、インター符号化予測値生成部２から出力される符号化コスト値ｊと、を入力とする。このモード判定制御部３は、これら入力されるコスト値ｇ、ｊの比較を行い、処理ブロックに適する符号化モードを選択する。
【００３９】
ＤＣＴ／量子化部４は、入力映像ａと、予測値ｅおよび予測値ｈのうちモード判定制御部３により選択された符号化モードに応じたものと、の差分を入力とする。このＤＣＴ／量子化部４は、入力される信号に対してＤＣＴ処理および量子化処理を施し、Ｎ×Ｍ直交変換を行って、量子化されたＤＣＴ係数（残差信号）ｋとして出力する。
【００４０】
ＩＤＣＴ／逆量子化部５は、量子化されたＤＣＴ係数（残差信号）ｋを入力とする。このＩＤＣＴ／逆量子化部５は、入力される信号に対して逆量子化処理および逆ＤＣＴ処理を施し、逆ＤＣＴされた画素信号ｍとして出力する。
【００４１】
エントロピー符号化部６は、量子化されたＤＣＴ係数（残差信号）ｋと、予測情報ｆおよび予測情報ｉのうちモード判定制御部３により選択された符号化モードに応じたものと、を入力とする。このエントロピー符号化部６は、入力される信号についてエントロピー符号化を行い、符号化データｂとして出力する。このエントロピー符号化部６の詳細については、図２を用いて後述する。
【００４２】
第１のローカルメモリ７は、予測値ｅおよび予測値ｈのうちモード判定制御部３により選択された符号化モードに応じたものと、逆ＤＣＴされた画素信号ｍと、の和をとった信号、すなわち符号化済みブロックにおける局所復号値ｃを入力とする。そして、符号化済みブロックにおける局所復号値ｃを蓄積し、適宜、イントラ符号化予測値生成部１およびインター符号化予測値生成部２に供給する。
【００４３】
第２のローカルメモリ８は、予測情報ｆおよび予測情報ｉのうちモード判定制御部３により選択された符号化モードに応じたもの、すなわち符号化済みブロックにおける予測方向情報ｄを入力とする。そして、符号化済みブロックにおける予測方向情報ｄを蓄積し、適宜、イントラ符号化予測値生成部１およびインター符号化予測値生成部２に供給する。
【００４４】
［エントロピー符号化部６の構成］
図２は、エントロピー符号化部６の構成を示すブロック図である。本実施形態では、エントロピー符号化部６は、ＤＣＴ／量子化部４によるＮ×Ｍ直交変換により得られた２次元の直交変換係数について、予め定められた形状で４つに分割するものとする（例えば、後述の図８参照）。このエントロピー符号化部６は、ＤＣＴ係数分割部６１と、ＣＢＰ判定部６２Ａ、６２Ｂ、６２Ｃ、６２Ｄと、残差信号エントロピー符号化部６３Ａ、６３Ｂ、６３Ｃ、６３Ｄと、ＤＣＴ係数結合部６４と、予測情報エントロピー符号化部６５と、符号化データ生成部６６と、を備える。
【００４５】
ＤＣＴ係数分割部６１は、Ｎ×ＭのＤＣＴブロックにおける量子化されたＤＣＴ係数（残差信号）ｋを入力とする。このＤＣＴ係数分割部６１は、量子化されたＤＣＴ係数（残差信号）ｋの信号を、動画像符号化装置ＡＡと動画像復号装置ＢＢとの間で予め定められた形状で４つに分割し、分割セグメントごとに、量子化されたＤＣＴ係数（残差信号）ｎａ、ｎｂ、ｎｃ、ｎｄとして出力する。
【００４６】
ＣＢＰ判定部６２Ａ〜６２Ｄは、それぞれ、量子化されたＤＣＴ係数（残差信号）ｎａ〜ｎｄを入力とする。ＣＢＰ判定部６２Ａは、ＤＣＴブロック内の量子化されたＤＣＴ係数（残差信号）ｎａが全て「０」であるか否かを判別する。そして、全て「０」であると判別した場合には、残差信号ｎａをエントロピー符号化しないと判定し、少なくとも１つ以上が「０」以外であると判別した場合には、残差信号ｎａをエントロピー符号化すると判定する。そして、この判定結果であるＣＢＰ判定結果を示すフラグ情報（ＣＢＰ情報）ｐａを出力する。ＣＢＰ判定部６２Ｂ〜６２Ｄのそれぞれについても、ＣＢＰ判定部６２Ａと同様に、残差信号ｎｂ〜ｎｄのそれぞれをエントロピー符号化するか否かを判定し、判定結果であるＣＢＰ判定結果を示すフラグ情報（ＣＢＰ情報）ｐｂ〜ｐｄのそれぞれを出力する。
【００４７】
残差信号エントロピー符号化部６３Ａ、６３Ｂ、６３Ｃ、６３Ｄのそれぞれは、量子化されたＤＣＴ係数（残差信号）ｎａ〜ｎｄのそれぞれと、ＣＢＰ情報ｐａ〜ｐｄのそれぞれと、を入力とする。残差信号エントロピー符号化部６３Ａは、残差信号ｎａをエントロピー符号化するとＣＢＰ判定部６２Ａにより判定されたか否かを、ＣＢＰ情報ｐａに基づいて判別する。そして、残差信号ｎａをエントロピー符号化するとＣＢＰ判定部６２Ａにより判定されたと判別した場合には、残差信号ｎａをエントロピー符号化してＤＣＴ係数結合部６４に出力し、残差信号ｎａをエントロピー符号化しないとＣＢＰ判定部６２Ａにより判定されたと判別した場合には、ＤＣＴ係数結合部６４には何も出力しない。残差信号エントロピー符号化部６３Ｂ〜６３Ｄのそれぞれについても、残差信号エントロピー符号化部６３Ａと同様に、ＣＢＰ情報ｐｂ〜ｐｄのそれぞれに応じて残差信号ｎｂ〜ｎｄのそれぞれをエントロピー符号化し、ＤＣＴ係数結合部６４に出力する。
【００４８】
ＤＣＴ係数結合部６４は、残差信号エントロピー符号化部６３Ａ〜６３Ｄのそれぞれからの出力を入力とする。このＤＣＴ係数結合部６４は、入力された信号を結合し、Ｎ×Ｍブロックにおける量子化されたＤＣＴ係数のエントロピー符号化データｑとして出力する。
【００４９】
予測情報エントロピー符号化部６５は、予測情報ｆおよび予測情報ｉのうちモード判定制御部３により選択された符号化モードに応じたものと、ＣＢＰ情報ｐａ〜ｐｄと、を入力とする。この予測情報エントロピー符号化部６５は、符号化シンタックスにしたがい、予測情報ｆおよび予測情報ｉのうちモード判定制御部３により選択された符号化モードに応じたものと、ＣＢＰ情報ｐａ〜ｐｄと、をエントロピー符号化し、予測情報およびＣＢＰ情報に関するエントロピー符号化データｒとして出力する。
【００５０】
符号化データ生成部６６は、Ｎ×Ｍの量子化されたＤＣＴ係数のエントロピー符号化データｑと、予測情報およびＣＢＰ情報に関するエントロピー符号化データｒと、を入力とする。この符号化データ生成部６６は、符号化シンタックスにしたがって符号化データｂを生成し、出力する。
【００５１】
［動画像復号装置ＢＢの構成］
図３は、本発明の第１実施形態に係る動画像復号装置ＢＢの構成を示すブロック図である。動画像復号装置ＢＢは、符号化データ解析部１１０、イントラ予測値生成部１２０、インター予測値生成部１３０、予測手法制御部１４０、およびメモリ１５０を備える。
【００５２】
符号化データ解析部１１０は、符号化データｂを入力とする。この符号化データ解析部１１０は、符号化シンタックスにしたがって、符号化データｂに記載されている内容を解析し、エントロピー復号する。そして、エントロピー復号の結果として得られる、エントロピー復号された残差信号Ａと、エントロピー復号された予測情報Ｂと、を出力する。この符号化データ解析部１１０の詳細については、図４を用いて後述する。
【００５３】
予測手法制御部１４０は、エントロピー復号された予測情報Ｂを入力とする。この予測手法制御部１４０は、エントロピー復号された予測情報Ｂが、イントラ予測に関するものであるのか、インター予測に関するものであるのかを識別し、イントラ予測とインター予測とを切り替えるための制御信号Ｆを出力する。
【００５４】
イントラ予測値生成部１２０には、制御信号Ｆに応じて、エントロピー復号された予測情報Ｂと、復号済み画素値Ｃと、が入力される。具体的には、イントラ予測値生成部１２０には、エントロピー復号された予測情報Ｂがイントラ予測に関するものであると予測手法制御部１４０により識別された場合に、エントロピー復号された予測情報Ｂと、復号済み画素値Ｃと、が入力される。イントラ予測値生成部１２０は、復号済み画素値Ｃを元に、エントロピー復号された予測情報Ｂにしたがってイントラ予測値Ｄを生成し、出力する。
【００５５】
インター予測値生成部１３０には、制御信号Ｆに応じて、エントロピー復号された予測情報Ｂと、復号済み画素値Ｃと、が入力される。具体的には、インター予測値生成部１３０には、エントロピー復号された予測情報Ｂがインター予測に関するものであると予測手法制御部１４０により識別された場合に、エントロピー復号された予測情報Ｂと、復号済み画素値Ｃと、が入力される。インター予測値生成部１３０は、復号画素値Ｃを元に、エントロピー復号された予測情報Ｂにしたがってインター予測値Ｅを生成し、出力する。
【００５６】
メモリ１５０は、エントロピー復号された残差信号Ａと、イントラ予測値Ｄおよびインター予測値Ｅのうち制御信号Ｆに応じたものと、の和をとった信号、すなわち復号済み画素値Ｃを入力とする。ここで、イントラ予測値Ｄおよびインター予測値Ｅのうち制御信号Ｆに応じたものとは、エントロピー復号された予測情報Ｂがイントラ予測に関するものであると予測手法制御部１４０により識別された場合には、イントラ予測値Ｄのことであり、エントロピー復号された予測情報Ｂがインター予測に関するものであると予測手法制御部１４０により識別された場合には、インター予測値Ｅのことである。メモリ１５０は、入力された復号済み画素値Ｃを蓄積し、未復号ブロックの復号処理を行う際に、適宜、イントラ予測値生成部１２０またはインター予測値生成部１３０に供給する。
【００５７】
［符号化データ解析部１１０の構成］
図４は、符号化データ解析部１１０の構成を示すブロック図である。符号化データ解析部１１０は、シンタックス解析部１１１と、ＤＣＴ係数分割部１１２と、予測情報エントロピー復号部１１３と、ＣＢＰ情報識別部１１４と、残差信号エントロピー復号部１１５Ａ、１１５Ｂ、１１５Ｃ、１１５Ｄと、ＤＣＴ係数結合部１１６と、逆直交変換／逆量子化部１１７と、を備える。
【００５８】
シンタックス解析部１１１は、符号化データｂを入力とする。このシンタックス解析部１１１は、符号化シンタックスにしたがい、符号化データｂから、エントロピー符号化され量子化されたＤＣＴ係数（残差信号）Ｇと、Ｎ×Ｍブロックにおける４ビットのＣＢＰ情報Ｉと、エントロピー符号化された予測情報Ｈと、を取り出し、出力する。
【００５９】
ＤＣＴ係数分割部１１２は、エントロピー符号化され量子化されたＤＣＴ係数（残差信号）Ｇを入力とする。このＤＣＴ係数分割部１１２は、エントロピー符号化され量子化されたＤＣＴ係数（残差信号）Ｇを、動画像符号化装置ＡＡと動画像復号装置ＢＢとの間で予め定められた形状で４つに分割し、分割セグメントごとに、エントロピー符号化され量子化されたＤＣＴ係数（残差信号）Ｊａ、Ｊｂ、Ｊｃ、Ｊｄとして出力する。
【００６０】
予測情報エントロピー復号部１１３は、エントロピー符号化された予測情報Ｈを入力とする。この予測情報エントロピー復号部１１３は、エントロピー符号化された予測情報Ｈをエントロピー復号し、エントロピー復号された予測情報Ｂとして出力する。
【００６１】
ＣＢＰ情報識別部１１４は、Ｎ×Ｍブロックにおける４ビットのＣＢＰ情報Ｉを入力とする。このＣＢＰ情報識別部１１４は、４ビットのＣＢＰ情報Ｉから、４つに分割されたそれぞれの領域におけるＣＢＰ情報を取り出し、分割セグメントごとに、１ビットのＣＢＰ情報Ｌａ、Ｌｂ、Ｌｃ、Ｌｄとして出力する。
【００６２】
残差信号エントロピー復号部１１５Ａ〜１１５Ｄのそれぞれは、エントロピー符号化され量子化されたＤＣＴ係数（残差信号）Ｊａ〜Ｊｄのそれぞれと、ＣＢＰ情報Ｌａ〜Ｌｄのそれぞれと、を入力とする。残差信号エントロピー復号部１１５Ａは、エントロピー符号化され量子化されたＤＣＴ係数（残差信号）Ｊａが全て「０」であると判定した場合には、ＤＣＴ係数が全て「０」である信号を、エントロピー復号された残差信号としてＤＣＴ係数結合部１１６に出力する。一方、エントロピー符号化され量子化されたＤＣＴ係数（残差信号）Ｊａの少なくとも１つ以上が「０」以外であると判定した場合には、エントロピー符号化された残差信号Ｊａをエントロピー復号し、エントロピー復号された残差信号としてＤＣＴ係数結合部１１６に出力する。残差信号エントロピー復号部１１５Ｂ〜１１５Ｄのそれぞれについても、残差信号エントロピー復号部１１５Ａと同様に、エントロピー符号化され量子化されたＤＣＴ係数（残差信号）Ｊｂ〜Ｊｄのそれぞれが「０」であるか否かを判定し、判定結果に応じて、エントロピー符号化され量子化されたＤＣＴ係数（残差信号）Ｊｂ〜Ｊｄのそれぞれをエントロピー復号し、エントロピー復号された残差信号をＤＣＴ係数結合部１１６に出力する。
【００６３】
ＤＣＴ係数結合部１１６は、残差信号エントロピー復号部１１５Ａ〜１１５Ｄのそれぞれからの出力を入力とする。このＤＣＴ係数結合部１１６は、入力された信号を結合し、Ｎ×Ｍブロックにおけるエントロピー復号された残差信号Ｍとして出力する。
【００６４】
逆直交変換／逆量子化部１１７は、Ｎ×Ｍブロックにおけるエントロピー復号された残差信号Ｍを入力とする。この逆直交変換／逆量子化部１１７は、Ｎ×Ｍブロックにおけるエントロピー復号された残差信号Ｍに対して逆量子化および逆直交変換を行って、エントロピー復号された残差信号Ａとして出力する。
【００６５】
以上の動画像符号化装置ＡＡによれば、量子化されたＤＣＴ係数（残差信号）ｋの信号を、動画像符号化装置ＡＡと動画像復号装置ＢＢとの間で予め定められた形状で４つに分割し、分割した４つの量子化されたＤＣＴ係数（残差信号）ｎａ、ｎｂ、ｎｃ、ｎｄごとに、エントロピー符号化するか否かを判定し、判定結果に応じてエントロピー符号化する。このため、４つの量子化されたＤＣＴ係数（残差信号）ｎａ、ｎｂ、ｎｃ、ｎｄごとに、符号化を省略するか否かを決定し、符号化することができるので、ＣＢＰの適用頻度を向上させて、符号化性能を向上させることができる。
【００６６】
また、以上の動画像符号化装置ＡＡによれば、画像フレームを、画面間符号化のみ、画面内符号化のみ、または画像間符号化および画面内符号化の併用により、符号化することができる。ここで、画像フレームを画面内符号化のみで符号化する静止画像符号化は、動画像符号化装置ＡＡで想定する動画像符号化のサブセットである。このため、動画像符号化装置ＡＡは、動画像だけでなく静止画も符号化することができ、静止画像符号化の符号化性能を向上させることができる。
【００６７】
また、以上の動画像復号装置ＢＢによれば、動画像符号化装置ＡＡでエントロピー符号化された符号化データｂを、動画像符号化装置ＡＡと動画像復号装置ＢＢとの間で予め定められた形状で４つに分割し、分割した４つのエントロピー符号化され量子化されたＤＣＴ係数（残差信号）Ｊａ、Ｊｂ、Ｊｃ、Ｊｄごとに、エントロピー復号するか否かを判定し、判定結果に応じてエントロピー復号する。このため、動画像符号化装置ＡＡでエントロピー符号化された符号化データｂを復号できる。
【００６８】
＜第２実施形態＞
［動画像符号化装置ＣＣの構成］
図５は、本発明の第２実施形態に係る動画像符号化装置ＣＣの構成を示すブロック図である。動画像符号化装置ＣＣは、２次元の直交変換係数を分割する際の分割形状および分割数を、フレーム単位で制御する。この動画像符号化装置ＣＣは、ＭＢ単位符号化処理部Ｃ１および制御情報エントロピー符号化部Ｃ２を備える。
【００６９】
制御情報エントロピー符号化部Ｃ２は、フレーム単位制御情報ｔを入力とする。この制御情報エントロピー符号化部Ｃ２は、フレーム単位制御情報ｔをエントロピー符号化し、フレーム単位制御情報符号化データｖとして出力する。
【００７０】
ＭＢ単位符号化処理部Ｃ１は、入力映像ａおよびフレーム単位制御情報ｔを入力とする。このＭＢ単位符号化処理部Ｃ１は、フレーム単位制御情報ｔを用いて入力映像ａをＭＢ単位で符号化し、各ＭＢにおける符号化データを生成し、ＭＢ単位符号化データｕとして出力する。
【００７１】
［ＭＢ単位符号化処理部Ｃ１の構成］
図６は、ＭＢ単位符号化処理部Ｃ１の構成を示すブロック図である。ＭＢ単位符号化処理部Ｃ１は、図１に示した本発明の第１実施形態に係る動画像符号化装置ＡＡとは、フレーム単位制御情報ｔを入力される点と、エントロピー符号化部６の代わりにエントロピー符号化部６Ａを備える点と、が異なる。なお、ＭＢ単位符号化処理部Ｃ１において、動画像符号化装置ＡＡと同一構成要件については、同一符号を付し、その説明を省略する。
【００７２】
エントロピー符号化部６Ａは、量子化されたＤＣＴ係数ｋと、予測情報ｆおよび予測情報ｉのうちモード判定制御部３により選択された符号化モードに応じたものと、に加えて、フレーム単位制御情報ｔを入力とする。このエントロピー符号化部６Ａは、入力される信号についてエントロピー符号化を行い、ＭＢ単位符号化データｕとして出力する。
【００７３】
［エントロピー符号化部６Ａの構成］
図７は、エントロピー符号化部６Ａの構成を示すブロック図である。エントロピー符号化部６Ａは、図２に示した本発明の第１実施形態に係るエントロピー符号化部６とは、ＤＣＴ係数分割部６１の代わりにＤＣＴ係数分割部６１Ａを備える点が異なる。
【００７４】
ＤＣＴ係数分割部６１Ａは、Ｎ×ＭのＤＣＴブロックにおける量子化されたＤＣＴ係数（残差信号）ｋに加えて、フレーム単位制御情報ｔを入力とする。このＤＣＴ係数分割部６１Ａは、量子化されたＤＣＴ係数（残差信号）ｋの信号を、フレーム単位制御情報ｔに応じた分割形状および分割数に分割し、分割セグメントごとに、量子化されたＤＣＴ係数（残差信号）として出力する。
【００７５】
ＤＣＴ係数分割部６１Ａによる量子化されたＤＣＴ係数（残差信号）ｋの分割について、図８、９、１０を用いて以下に説明する。図８は、量子化されたＤＣＴ係数（残差信号）ｋを、４つの正方形の領域Ｂ１、Ｂ２、Ｂ３、Ｂ４に相当する周波数成分ごとに分割する場合を示す。図９は、量子化されたＤＣＴ係数（残差信号）ｋを、４つの周波数帯域に応じた領域Ｂ１１、Ｂ１２、Ｂ１３、Ｂ１４に相当する周波数成分ごとに分割する場合を示す。図１０は、量子化されたＤＣＴ係数（残差信号）ｋを、４つの視覚的な重要度に応じた領域Ｂ２１、Ｂ２２、Ｂ２３、Ｂ２４に相当する周波数成分ごとに分割する場合を示す。
【００７６】
ＤＣＴ係数分割部６１Ａは、フレーム単位制御情報ｔに基づいて、フレームごとに、図８〜１０に示した分割形状および分割数のいずれかを選択し、選択した分割形状および分割数に量子化されたＤＣＴ係数（残差信号）ｋを分割する。
【００７７】
［動画像復号装置ＤＤの構成］
本発明の第２実施形態に係る動画像復号装置ＤＤは、図５に示した本発明の第２実施形態に係る動画像符号化装置ＣＣにより符号化されたＭＢ単位符号化データｕを復号する。この動画像復号装置ＤＤは、図３に示した本発明の第１実施形態に係る動画像復号装置ＢＢとは、符号化データ解析部１１０の代わりに符号化データ解析部１１０Ａを備える点が異なる。なお、動画像復号装置ＤＤにおいて、動画像復号装置ＢＢと同一構成要件については、同一符号を付し、その説明を省略する。
【００７８】
図１１は、符号化データ解析部１１０Ａの構成を示すブロック図である。符号化データ解析部１１０Ａは、図４に示した本発明の第１実施形態に係る符号化データ解析部１１０とは、シンタックス解析部１１１、ＤＣＴ係数分割部１１２、予測情報エントロピー復号部１１３、およびＣＢＰ情報識別部１１４の代わりに、それぞれ、シンタックス解析部１１１Ａ、ＤＣＴ係数分割部１１２Ａ、予測情報エントロピー復号部１１３Ａ、およびＣＢＰ情報識別部１１４Ａを備える点が異なる。
【００７９】
シンタックス解析部１１１Ａは、符号化データｂを入力とする。このシンタックス解析部１１Ａは、符号化シンタックスにしたがい、符号化データｂから、エントロピー符号化され量子化されたＤＣＴ係数（残差信号）Ｇと、エントロピー符号化された予測情報Ｈと、を取り出すとともに、ＣＢＰの分割形状および分割数に関する情報を得る。そして、エントロピー符号化され量子化されたＤＣＴ係数（残差信号）Ｇと、エントロピー符号化された予測情報Ｈと、を出力するとともに、ＣＢＰの分割形状および分割数に関する情報をＣＢＰ分割情報Ｉとして出力する。
【００８０】
ＤＣＴ係数分割部１１２Ａは、エントロピー符号化され量子化されたＤＣＴ係数（残差信号）Ｇに加えて、ＣＢＰ分割情報Ｉを入力とする。このＤＣＴ係数分割部１１２Ａは、フレーム単位で制御されるＣＢＰ分割情報Ｉにしたがって、エントロピー符号化され量子化されたＤＣＴ係数（残差信号）Ｇを、動画像符号化装置ＣＣのＤＣＴ係数分割部６１Ａで選択された分割形状および分割数と同一の分割形状および分割数に分割する。そして、分割セグメントごとに、エントロピー符号化され量子化されたＤＣＴ係数（残差信号）Ｊａ、Ｊｂ、Ｊｃ、Ｊｄとして出力する。
【００８１】
予測情報エントロピー復号部１１３Ａは、エントロピー符号化された予測情報Ｈを入力とする。この予測情報エントロピー復号部１１３Ａは、エントロピー符号化された予測情報Ｈをエントロピー復号し、エントロピー復号された予測情報Ｂに加えて、ＣＢＰ分割情報Ｋを得て、これらエントロピー復号された予測情報Ｂと、ＣＢＰ情報Ｉと、を出力する。
【００８２】
ＣＢＰ情報識別部１１４Ａは、Ｎ×Ｍブロックにおける４ビットのＣＢＰ情報Ｉに加えて、ＣＢＰ分割情報Ｋを入力とする。このＣＢＰ情報識別部１１４Ａは、４ビットのＣＢＰ情報Ｋから、４つに分割されたそれぞれの領域におけるＣＢＰ情報を取り出し、取り出したＣＢＰ情報およびＣＢＰ分割情報Ｋに基づいて、１ビットのＣＢＰ情報Ｌａ、Ｌｂ、Ｌｃ、Ｌｄを生成する。そして、分割セグメントごとに、ＣＢＰ情報Ｌａ、Ｌｂ、Ｌｃ、Ｌｄを出力する。
【００８３】
以上の動画像符号化装置ＣＣによれば、フレームごとに、図８〜１０に示した分割形状および分割数のいずれかを選択し、選択した分割形状および分割数に量子化されたＤＣＴ係数（残差信号）ｋの信号を分割する。そして、分割した量子化されたＤＣＴ係数（残差信号）ｎａ、ｎｂ、ｎｃ、ｎｄごとに、エントロピー符号化するか否かを判定し、判定結果に応じてエントロピー符号化する。このため、量子化されたＤＣＴ係数（残差信号）ｋを、フレームごとに適した分割形状および分割数に分割することができるので、図１に示した本発明の第１実施形態に係る動画像符号化装置ＡＡと比べて、ＣＢＰの使用頻度をさらに向上させて、符号化性能をさらに向上させることができる。
【００８４】
また、以上の動画像符号化装置ＣＣによれば、画像フレームを、画面間符号化のみ、画面内符号化のみ、または画像間符号化および画面内符号化の併用により、符号化することができる。ここで、画像フレームを画面内符号化のみで符号化する静止画像符号化は、動画像符号化装置ＣＣで想定する動画像符号化のサブセットである。このため、動画像符号化装置ＣＣは、動画像だけでなく静止画も符号化することができ、静止画像符号化の符号化性能も向上させることができる。
【００８５】
また、以上の動画像復号装置ＤＤによれば、動画像符号化装置ＣＣでエントロピー符号化された符号化データｂを、動画像符号化装置ＣＣのＤＣＴ係数分割部６１Ａで選択された分割形状および分割数と同一の分割形状および分割数に分割する。そして、分割したエントロピー符号化され量子化されたＤＣＴ係数（残差信号）Ｊａ、Ｊｂ、Ｊｃ、Ｊｄごとに、エントロピー復号するか否かを判定し、判定結果に応じてエントロピー復号する。このため、動画像符号化装置ＣＣでエントロピー符号化された符号化データｂを復号できる。
【００８６】
なお、本発明の動画像符号化装置ＡＡ、ＣＣの処理や、動画像復号装置ＢＢ、ＤＤの処理を、コンピュータ読み取り可能な記録媒体に記憶し、記録媒体に記録されたプログラムを動画像符号化装置ＡＡ、ＣＣや、動画像復号装置ＢＢ、ＤＤに読み込ませ、実行することによって、本発明を実現できる。
【００８７】
また、上述のプログラムは、このプログラムを記憶装置等に格納した動画像符号化装置ＡＡ、ＣＣや動画像復号装置ＢＢ、ＤＤから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８８】
また、上述のプログラムは、上述の機能の一部を実現するためのものであってもよい。さらに、上述の機能を動画像符号化装置ＡＡ、ＣＣや動画像復号装置ＢＢ、ＤＤにすでに記録されているプログラムとの組合せで実現できるもの、いわゆる差分ファイル（差分プログラム）であってもよい。
【００８９】
以上、この発明の実施形態につき、図面を参照して詳述してきたが、具体的な構成はこの実施形態に限られるものではなく、この発明の要旨を逸脱しない範囲の設計等も含まれる。
【００９０】
例えば、上述の各実施形態では、量子化されたＤＣＴ係数（残差信号）を４つに分割したが、分割数はこれに限らない。
【００９１】
例えば、動画像符号化装置ＡＡのＤＣＴ係数分割部６１で３つに分割する場合には、分割セグメントごとに、量子化されたＤＣＴ係数（残差信号）ｎａ、ｎｂ、ｎｃを出力し、量子化されたＤＣＴ係数（残差信号）ｎｄとしては何も出力しないものとする。この場合には、動画像復号装置ＢＢのＤＣＴ係数分割部１１２は、ＣＢＰ情報Ｌａ、Ｌｂ、Ｌｃを出力し、ＣＢＰ情報Ｌｄとしては何も出力しないものとする。
【００９２】
一方、動画像符号化装置ＡＡのＤＣＴ係数分割部６１で５つに分割する場合には、エントロピー符号化部６に、ＣＢＰ判定部６２Ａ〜６２Ｄに加えてＣＢＰ判定部６２Ｅを設けるとともに、残差信号エントロピー符号化部６３Ａ〜６３Ｄに加えて残差信号エントロピー符号化部６３Ｅを設ければよい。この場合には、動画像復号装置ＢＢの符号化データ解析部１１０に、残差信号エントロピー復号部１１５Ａ〜１１５Ｄに加えて残差信号エントロピー復号部１１５Ｅを設ければよい。
【符号の説明】
【００９３】
６、６Ａ・・・エントロピー符号化部
６１、６１Ａ・・・ＤＣＴ係数分割部
６２Ａ〜６２Ｄ・・・ＣＢＰ判定部
６３Ａ〜６３Ｄ・・・残差信号エントロピー符号化部
６４・・・ＤＣＴ係数結合部
６５・・・予測情報エントロピー符号化部
６６・・・符号化データ生成部
１１０、１１０Ａ・・・符号化データ解析部
１１１、１１１Ａ・・・シンタックス解析部
１１２、１１２Ａ・・・ＤＣＴ係数分割部
１１３・・・予測情報エントロピー復号部
１１４、１１４Ａ・・・ＣＢＰ情報識別部
１１５Ａ〜１１５Ｄ・・・残差信号エントロピー復号部
１１６、１１６Ａ・・・ＤＣＴ係数結合部
１１７・・・逆直交変換／逆量子化部
ＡＡ、ＣＣ・・・動画像符号化装置
Ｃ１・・・ＭＢ単位符号化処理部
ＢＢ、ＤＤ・・・動画像復号装置
【図１】
2011049816.tif 000003
【図２】
2011049816.tif 000004
【図３】
2011049816.tif 000005
【図４】
2011049816.tif 000006
【図５】
2011049816.tif 000007
【図６】
2011049816.tif 000008
【図７】
2011049816.tif 000009
【図８】
2011049816.tif 000010
【図９】
2011049816.tif 000011
【図１０】
2011049816.tif 000012
【図１１】
2011049816.tif 000013
【図１２】
2011049816.tif 000014
【図１３】
2011049816.tif 000015